(57)【特許請求の範囲】
【請求項１】
外層体の内側に形成された空間に減容可能な内層体を収納すると共に、この内層体の口部に固定されるベースによって内層体及び外層体を一体に組み付け、
このベースから垂下するパイプを内層体の充填空間に挿入する一方、
当該ベースの天面壁からパイプを通して内層体の充填空間に通じる筒体部と共に当該筒体部を取り囲む周壁を起立させ、
当該周壁に、パイプからの内容物を定量する空間を形成するシェル部材を進退可能に螺合させると共に、当該定量空間に、シェル部材の後退にて、シェル部材に形成した注出孔を貫通して注出孔に向かう付勢力によって当該注出孔を閉じると共に付勢力に抗する押圧により注出孔を開放させる一方、シェル部材の前進にて注出孔を開放させる先端を有する弾性弁を配置し、
外層体を介して内層体を押圧可能としたことを特徴とする定量注出容器。
【請求項２】
請求項１において、シェル部材に一対の突出部を設け、当該突出部を、シェル部材を回転させるための操作片としたことを特徴とする定量注出容器。
【請求項３】
請求項１又は２において、シェル部材を透明又は半透明にしたことを特徴とする定量注出容器。
【請求項４】
請求項１乃至３のいずれか１項において、外層体の側壁に開口部を形成し、外層体の内側で片持ち支持された部位の一端を膨出させて開口部から露出させることで、内層体を減容させるための押圧片としたことを特徴とする定量注出容器。
【請求項５】
請求項１乃至３のいずれか１項において、外層体の側壁に、スリットで舌片を形作り、内層体を減容させるための押圧片としたことを特徴とする定量注出容器。
【発明の詳細な説明】
【技術分野】
【０００１】
本発明は、育毛剤等の内容物を所定量だけ注出して頭皮等の対象物に塗布することができる、定量注出容器に関するものである。
【背景技術】
【０００２】
容器の内容物を一定量だけ定量して必要な分だけ注出させる容器としては、例えば、容器の口部に固定されたベースにシェル部材を螺合させることで、当該シェル部材の進行（上昇）によって、ベースとの間に定量空間を形成するようにしたものがある（例えば、特許文献１参照）。
【先行技術文献】
【特許文献】
【０００３】
【特許文献１】登録実用新案第２５０７２７０号公報
【発明の概要】
【発明が解決しようとする課題】
【０００４】
こうした従来の容器は、シェル部材を上昇させて定量空間を形成したのち、容器を逆さまにすることで、容器からの内容物を定量し、次いで、シェル部材の注出孔から突出させた弾性弁を押圧することで定量注出を可能とする。
【０００５】
そこで、本願発明者は、内容物の充填容器として、変形及び復元の可能な、いわゆるスクイーズ容器を採用することに想到するに至った。
【０００６】
本発明の目的とするところは、容器を逆さまにする等といった煩雑な操作を行うことなく、内容物の定量注出を可能にする、新規な定量注出容器を提供することにある。
【課題を解決するための手段】
【０００７】
本発明の定量注出容器は、外層体の内側に形成された空間に減容可能な内層体を収納すると共に、この内層体の口部に固定されるベースによって内層体及び外層体を一体に組み付け、
このベースから垂下するパイプを内層体の充填空間に挿入する一方、
当該ベースの天面壁からパイプを通して内層体の充填空間に通じる筒体部と共に当該筒体部を取り囲む周壁を起立させ、
当該周壁に、パイプからの内容物を定量する空間を形成するシェル部材を進退可能に螺合させると共に、当該定量空間に、シェル部材の後退にて、シェル部材に形成した注出孔を貫通して注出孔に向かう付勢力によって当該注出孔を閉じると共に付勢力に抗する押圧により注出孔を開放させる一方、シェル部材の前進にて注出孔を開放させる先端を有する弾性弁を配置し、
外層体を介して内層体を押圧可能としたことを特徴とするものである。
【０００８】
加えて、本発明に従えば、シェル部材に一対の突出部を設け、当該突出部を、シェル部材を回転させるための操作片として構成することができる。
【０００９】
更に、シェル部材は透明・不透明を問わないが、本発明に従えば、シェル部材を透明又は半透明にすることができる。
【００１０】
また、本発明によれば、外層体の側壁に開口部を形成し、外層体の内側で片持ち支持された部材の一端を膨出させて開口部から露出させることで、内層体を減容させるための押圧片とすることができる。
【００１１】
また、本発明によれば、外層体の側壁に、スリットで舌片を形作り、内層体を減容させるための押圧片とすることもできる。
【発明の効果】
【００１２】
本発明によれば、シェル部材を軸線周りに、時計回り又は半時計回りに回転させることにより、ベースから離間するように前進（上昇）させてシェル部材の注出孔を閉じる弾性弁を開放すれば、ベースとの間に形成された定量空間を外界に通じさせることができる。これにより、定量空間と外界との間での空気の流通が可能となる。
【００１３】
次いで、外層体を介して内層体を押圧すれば、内層体に充填された内容物は、パイプから筒体部を通して定量空間に圧送される。このとき圧送される内容物の量は、外層体を介しての内層体の押圧力に応じた定量的なものとなる。
【００１４】
即ち、本発明によれば、容器を逆さまにする等の操作を行うことなく、内容物を定量的に注出することができる。
【００１５】
内容物の定量が完了し、注出孔からの注出が可能になった後は、シェル部材を軸線周りに逆回転させることで、注出孔を弾性弁によって閉じることできる。これにより、容器を逆さまして注出孔から突出する弾性弁の先端を、注出の対象となる部分に押圧するだけで、当該部分に定量の内容物を注出させることができる。
【００１６】
従って、本発明によれば、容器を逆さまにする等といった煩雑な操作を行うことなく、内容物の定量注出が可能になる。
【００１７】
加えて、本発明によれば、内容物の充填容器を内層体として、外層体の内側に収納したことから、袋体等に代表される薄肉容器のような保形性に難がある容器も内層体として採用することができる。
【００１８】
加えて、本発明によれば、シェル部材に一対の突出部を設け、当該突出部を、シェル部材を回転させるための操作片とすれば、シェル部材の回転が容易になることで、更に容易な操作を実現できる。
【００１９】
更に、シェル部材を透明又は半透明とすれば、シェル部材を通して定量された内容物を透視することができる。かかる構成によれば、使用者が押圧によって得られる触覚に加え、視覚によって容器からの内容物を定量できる。このため、正確な定量に有効である。
【００２０】
また、本発明によれば、外層体の側壁に開口部を形成し、外層体の内側で片持ち支持された部材の一端を膨出させて開口部から露出させることで、内層体を減容させるための押圧片とすれば、外層体の内側で片持ち支持された部材を適宜変更することで、使用者の要求や用途に応じた押圧力や操作性を実現することができる。
【００２１】
また、本発明によれば、外層体の側壁に、スリットで舌片を形作り、内層体を減容させるための押圧片とすれば、部品点数を削減することができる。
【図面の簡単な説明】
【００２２】
【図１】本発明の定量注出容器の一形態である、育毛剤用定量注出容器を一部断面で模式的に示す側面図である。
【図２】同形態を使用する前の状態を一部断面で模式的に示す側面図である。
【図３】同形態を操作して育毛剤Ｍの定量を行っている状態を一部断面で模式的に示す側面図である。
【図４】同形態を操作して育毛剤Ｍの定量を行った後における注出直前の状態を一部断面で模式的に示す側面図である。
【図５】同形態を操作して育毛剤Ｍの定量注出が行われている状態を一部断面で模式的に示す側面図である。
【図６】同形態の押圧部材を外層体から分解した状態を、外層体を一部断面で模式的に示す要部斜視図である。
【図７】同形態のシェル部材を容器に固定したベースから分解した状態で模式的に示す要部斜視図である。
【発明を実施するための形態】
【００２３】
以下、図面を参照して、本発明の定量注出容器の一形態である、育毛剤用定量注出容器を詳細に説明する。
【００２４】
図中１は、変形及び復元の可能な合成樹脂製の容器（以下、「内層体」）である。内層体１は、口部１ａから肩部１ｂを経て胴部１ｃに繋がり、この胴部１ｃの下端が底部１ｄで一体に封止されることで、その内側に、内容物たる育毛剤Ｍの充填空間Ｓ1が形作られる。また、内層体１の底部１ｄには、その中心を下向きに膨出させることで、後述のパイプ５を収納する凹部１ｄ1が設けられている。
【００２５】
２は、内層体１を収納する開口部が形成された胴部２ｃを有し、この胴部２ｃの下端が底部２ｄで一体に封止されることで、その内側に、内層体１を収納するための空間Ｓ2が形作られる合成樹脂製の容器（以下、「外層体」）である。外層体２は、その外観形状が変形し難い強度を有し、一定の保形性を備える。
【００２６】
３は、外層体２に嵌合保持される押圧部材である。押圧部材３は、図６に示すように、外層体２の底部２ｄ内側に嵌合保持される本体３ａを有し、この本体３ａの上端に、軸線Ｏを挟んで対向する位置にそれぞれ、片持ち支持された２つのアーム３ｂを一体に備える。アーム３ｂの上端部分３ｃはそれぞれ、その外側面が外向きに膨出してなる。この上端部分３ｃは、外層体３の側壁に形成された開口部Ａ1から露出することで、内層体１を減容させるための押圧片として機能する。
【００２７】
４は、内層体１及び外層体２を一体に組み付けて構成するベースである。ベース４は、内層体１の口部１ａが螺着される内筒４ａと、この内筒４ａを取り囲む外筒４ｂとを有し、この外筒４ｂ下端には、フランジ４ｃから一体に垂下する固定筒４ｄが一体に設けられている。この固定筒４ｄは、その外表面に突起４ｐを有し、この突起４ｐが胴部２ｃ内側に形成した凹部２ｎに嵌合する。これにより、ベース２は、外層体２の内側に内層体１を収納した状態で一体に固定される。
【００２８】
また、内筒４ａの上端からは、後述の筒体部４ｇを取り囲む周壁４ｅが一体に起立する。周壁４ｅは、その内側に、天面壁４ｆが一体に設けられている。天面壁４ｆは、周壁４ｅの内周面から間隔を空けて環状に垂下する側壁４ｆ1を有し、この側壁４ｆ1の下端を底壁４ｆ2で一体に連結する。これにより、周壁４ｅの内側には、天面壁４ｆによって凹所が形作られている。
【００２９】
また天面壁４ｆの底壁４ｆ2には、パイプ５の一端が一体に固定されている。パイプ５は、その内側に通路ｒ1を有し、ベース４から垂下して内層体１の充填空間Ｓ1に挿入される。また底壁４ｆ2  の上端には、パイプ５を通して内層体１の充填空間Ｓ3に通じる筒体部４ｇが一体に起立する。筒体部４ｇは、その内側に、パイプ５の内側に形成された通路ｒ1に通じる通路ｒ2が形成されている。
【００３０】
６は、透明又は半透明の合成樹脂からなるシェル部材である。シェル部材６は、周壁４ｅの内側に、パイプ５を通して圧送された育毛剤Ｍを定量する空間（以下、「定量空間」）Ｓ3を形成し、その上端には注出筒６ａが一体に設けられている。これにより、定量空間Ｓ3は、注出筒６ａの内側に形成された注出孔Ａ2を通して外界に通じる。
【００３１】
また、シェル部材６は、その内側には、ねじ部６ｓが設けられている。このねじ部６ｓは、周壁４ｅの外周面に設けたねじ部４ｓと螺合する。加えて、シェル部材６の内側には、ねじ部６ｓの下方に凸部６ｐが一体に設けられている。
【００３２】
これに対し、ベース４の周壁４ｅには、ねじ部４ｓの下方に、凸部６ｐを軸線Ｏに沿ってスライド可能に係止する環状凹部４ｎが形成されている。これにより、シェル部材６は、軸線Ｏ回りに時計回り又は反時計回りに回転させることで、周壁４ｅ周りを軸線Ｏに沿って進退させることができる。
【００３３】
加えて、シェル部材６には、その外表面から一対の突出部６ｂが一体に垂下して設けられている。突出部６ｂはそれぞれ、シェル部材６を軸線Ｏ回りに時計回り又は反時計回りに回転させるための操作片として機能する。なお、本形態では、突出部（以下、「操作片」）６ｂの外表面に、複数のリブからなる滑り止め６ｃが設けられている。
【００３４】
７は、定量空間Ｓ3内に配置される弾性弁である。弾性弁７は、注出筒６ａの下端に密接することで注出孔Ａ2を不通にする弁体７ａを有する。弁体７ａは、螺旋形状を構成する複数の弾性片７ｂを介して基部７ｃと一体に設けられている。基部７ｃは、図１等に示すように、天面壁４ｆで形作られた凹所に保持固定される。これにより、弾性弁７は、シェル部材６の内側でベース２に対して固定される。
【００３５】
弁体７ａには、図７に示すように、その横断面形状が十字形をしてなる先端７ｅが一体に設けられている。先端７ｅは、シェル部材６を、図２に示すように、ベース４側いっぱいまで後退（下降）させた状態で注出孔Ａ2を貫通し、その一部が図１等に示すように注出孔Ａ2から突出する。これにより、弾性弁７は、図２に示すように、シェル部材６をいっぱいまで後退させたとき、注出孔Ａ2に向かう弾性片７ｂの付勢力によって当該注出孔Ａ2を不通にすると共に、その先端７ｅを前記付勢力に抗して押し込むことで、十字断面の相互間に形成された隙間を通して注出孔Ａ2を外界に向けて開放する。
【００３６】
また、弾性弁７は、図３に示すように、シェル部材６をいっぱいまで前進（上昇）させたとき、弁体７ａがシェル部材６から離間することで、注出孔Ａ2を十字断面の相互間に形成された隙間を通して外界に向けて開放する。
【００３７】
なお、図１中、８は、ベース４の外筒４ｂに着脱可能に螺合するオーバーキャップである。オーバーキャップ８は、ベースの外筒４ｂに着脱可能に螺合するインナーメンバ８ａと、このインナーメンバ８ｂの外側に一体に固定されるアウターメンバ８ｂとで構成される二重構造のものである。
【００３８】
次に、図面を参照して、本形態の定量注出方法を説明する。
【００３９】
本形態によれば、使用者は先ず、図１に示すオーバーキャップ８を取り外して図２に示すような状態にした後、図３の矢印に示すように、シェル部材６を軸線Ｏ周りに、時計回り又は半時計回りに回転させれば、シェル部材６は、同図に示すように、ベース４から離間するように前進（上昇）することで弾性弁７を開放する。これにより、ベース４との間に形成された定量空間Ｓ3を外界に通じさせることができるため、定量空間Ｓ3と外界との間での空気の流通が可能となる。
【００４０】
次いで、図３の矢印に示すように、外層体２から露出する押圧片３ｃを押し込んで内層体１を押圧すれば、内層体１に充填された育毛剤Ｍは、同図に示すように、パイプ５から筒体部４ｇを通して定量空間Ｓ3に圧送される。このとき圧送される育毛剤Ｍの量は、押圧片３ｃの押し込みに伴う、内層体１の押圧力に応じた定量的なものとなる。
【００４１】
即ち、本形態によれば、従来のように、容器を逆さまにする等の操作を行うことなく、育毛剤Ｍを定量的に注出することができる。なお、本形態では、内層体１の底部１ｄに、パイプ５を収納する凹部１ｄ1が設けられているため、育毛剤Ｍを効率的に注出することができる。
【００４２】
また、本形態では、シェル部材６が透明又は半透明の部材としてなるため、図４に示すように、定量空間Ｓ3内の育毛剤Ｍを目視することができる。かかる構成によれば、育毛剤Ｍの定量を目視によって微調整できる。
【００４３】
育毛剤Ｍの定量が完了し、注出孔Ａ2からの注出が可能になった後は、図４の矢印に示すように、シェル部材６を軸線Ｏ周りに逆回転させることで、同図に示すように、注出孔Ａ2を弾性弁７によって閉じることができる。これにより、図５に示すように、容器を逆さまして注出孔Ａ2から突出する弾性弁７の先端７ｅを、注出の対象となる頭皮等の部分に押圧すれば、当該部分に定量の育毛剤Ｍを注出させることができる。
【００４４】
従って、本形態によれば、従来のように、容器を逆さまにする等といった煩雑な操作を行うことなく、育毛剤Ｍの定量注出が可能になる。
【００４５】
加えて、本形態によれば、育毛剤Ｍの充填容器を内層体１として、外層体２の内側に収納したことから、袋体等に代表される薄肉容器のような保形性に難がある容器も内層体１として採用することができる。
【００４６】
加えて、本形態の如く、シェル部材６に、当該シェル部材６から一対の突出部６ｂを設け、当該突出部６ｂを、シェル部材６を回転させるための操作片とすれば、シェル部材６の回転が容易になることで、更に容易な操作を実現できる。
【００４７】
更に、本形態の如く、シェル部材６を透明又は半透明とすれば、シェル部材６を通して定量された育毛剤Ｍを透視することができる。かかる構成によれば、使用者が押圧によって得られる触覚に加え、視覚によって容器からの育毛剤Ｍを定量できる。このため、正確な定量に有効である。なお、本発明に従えば、変形例として、シェル部材６の表面に、目盛等の目印を付することもできる。
【００４８】
また、本形態の如く、外層体２の側壁に開口部Ａ1を形成し、外層体２の内側で片持ち支持された部材３の一端を膨出させて開口部Ａ1から露出させることで、内層体１を減容させるための押圧片３ｃとすれば、外層体２の内側で片持ち支持された部材３を適宜変更することで、使用者の要求や用途に応じた押圧力や操作性を実現することができる。
【００４９】
更に、本発明に従えば、他の形態として、外層体２の側壁に、スリットで舌片を形作り、内層体１を減容させるための押圧片とすることも可能である。かかる構成によれば、部品点数を削減することができる。
【００５０】
上述したところは、本発明の一形態を示したに過ぎず、特許請求の範囲内において、種々の変更を加えることができる。例えば、本発明に従えば、押圧片３ｃは、内層体１に一体に設けることができる。この場合、部品点数を削減することができる。また、内層体１及び外層体２は、透明であるか、不透明であるかは問わないが、透明又は半透明に構成することもできる。かかる構成によれば、内容物は、外層体２及び内層体１を通して目視できるため、内容物の残量確認を容易に行うことができる。また、この場合、外層体２又は内層体１に目盛をつければ、残量確認を更に容易に行うことができる。
【産業上の利用可能性】
【００５１】
本発明は、一定量だけ定量した後、かかる定量済みの内容物を注出することが求められるものに採用することができ、その内容物には、例えば、育毛剤以外の薬液や化粧液等が挙げられる。
【符号の説明】
【００５２】
１    内層体
１ａ  口部
２    外層体
２ｃ  胴部
３    押圧部材
４    ベース
４ａ  内筒
４ｂ  外筒
４ｃ  フランジ部
４ｄ  固定筒
４ｅ  周壁
４ｆ  天面壁
４ｇ  筒体部
５    パイプ
６    シェル部材
７    弾性弁
７ａ  弁体
７ｂ  弾性片
７ｃ  基部
７ｅ  先端
８    オーバーキャップ
【図１】
0005394271.tif 000002
【図２】
0005394271.tif 000003
【図３】
0005394271.tif 000004
【図４】
0005394271.tif 000005
【図５】
0005394271.tif 000006
【図６】
0005394271.tif 000007
【図７】
0005394271.tif 000008